(57)【要約】  【課題】障子の解錠から開操作までと、障子の閉操作から施錠までの操作を、一連の動作で行えるようにした施錠装置付アシストハンドルを提供する。  【解決手段】施錠装置付アシストハンドル１は、ケース１０と、揺動可能とされるハンドル１１と、前記ケース１０から突出及び没入自在に回動支持されるとともに、没入方向に付勢保持された鎌形フック片１３と、ハンドル１１と共に揺動自在に支持されるとともに、一方端側に障子の開操作を補助するための障子押圧部を有し、かつ他方端側に鎌形フック片１３を背面側から押圧することにより鎌形フック片１３をケース１０から突出させる押圧作動部を有する揺動作動片１２と、前記ケース１０にスライド可能かつ突出方向に付勢保持され、突出状態では前記揺動作動片１２の揺動動作を制限し、障子が閉められ当接によって後退した際に前記揺動作動片１２の動作制限を解除する作動規制部材１６とからなる。【選択図】図２
2006029032.tif 000002
【特許請求の範囲】
【請求項１】
引き違い障子又は片引き障子の戸先側框に取り付けられ、障子の開操作を補助する開閉補助機構と共に、施錠機構を備えた施錠装置付アシストハンドルであって、
前記施錠機構は、障子の開操作を補助するアシストハンドルの回動動作とは逆の回動動作による力を作動源として施錠を成し、かつ障子の開操作を補助するアシストハンドルの回動動作によって解錠を成すようにしたことを特徴とする施錠装置付アシストハンドル。
【請求項２】
引き違い障子又は片引き障子の戸先側框に取り付けられ、障子の開操作を補助する開閉補助機構と共に、施錠機構を備えた施錠装置付アシストハンドルであって、
前記施錠装置付アシストハンドルは、ケースと、該ケースの室内側面に設けられ所定の角度範囲で揺動可能とされるハンドルと、前記ケース内に回動自在に設けられ、ケースから突出及び没入自在とされるとともに、没入方向に付勢保持された施錠用の鎌形フック片と、前記ケース内において前記ハンドルの軸部に固設され、該ハンドル動作に連動して揺動自在に支持されるとともに、一方端側に障子の開操作を補助するための障子押圧部を有し、かつ他方端側に鎌形フック片を背面側から押圧することにより鎌形フック片をケースから突出させる押圧作動部を有する揺動作動片と、前記ケースの外部に先端を突出させた状態で障子の開閉方向に沿ってスライド可能に設けられるとともに、突出方向に付勢保持され、突出状態にある時は衝合によって前記揺動作動片及びハンドルの揺動動作を制限するとともに、障子が閉められ当接によって後退した際には、前記揺動作動片及びハンドルの揺動動作制限を解除する作動規制部材とからなることを特徴とする施錠装置付アシストハンドル。
【請求項３】
前記揺動作動片の押圧作動部は、前記揺動作動片とは別体とされ、揺動作動片に形成された孔部に対して挿通状態で配設され、前記揺動作動片と共に移動するスライド軸部材からなる請求項２記載の施錠装置付アシストハンドル。
【請求項４】
前記揺動作動片の押圧作動部は、前記揺動作動片に対し室内外方向に突出して設けられた突部からなる請求項２記載の施錠装置付アシストハンドル。
【発明の詳細な説明】
【技術分野】
【０００１】
本発明は、障子の解錠から開操作までと、障子の閉操作から施錠までの操作を、一連の動作で行えるようにした施錠装置付アシストハンドルに関する。
【背景技術】
【０００２】
例えば、上枠、下枠及び左右の縦枠からなる枠体内に、引き違い又は片引きにより開閉自在に設けられる障子とを有する引戸式窓においては、特に窓寸法が大型であったり、ペアガラスが採用されているため障子重量が重い場合には、障子が開け難くなるとともに、枠体と障子との間及び障子間には気密材が配設され、障子全閉時に室内外間の気密性を保持し得る構造となっているため、特にビルやマンション等の高層階で風圧を受けたり、室内外に気圧差が生じると、全閉時の障子が枠体に押し付けられ摩擦抵抗が増大するため、障子が開け難くなるなどの問題があった。
【０００３】
このような問題を解決するために、下記特許文献１、２では、枠体と、この枠体内に引き違い又は片引きに開閉自在に設けられる障子とからなる窓において、前記障子の戸先框に障子の開閉を補助する開閉補助機構を設けたハンドル（以下、アシストハンドルという。）が提案されている。前記開閉補助機構は、戸先框の内部に設けられ縦枠を押圧する反力で障子を開方向へ押し動かす作動部を有する本体部と、戸先框の室内側に設けられた前記作動部を作動操作すると共に障子を開閉操作するためのハンドルとから構成され、いわゆるテコの原理によって枠体を蹴り出すことによって障子を容易に開けることができるようになっている。
【０００４】
一方、引戸障子における施錠装置の代表例として鎌錠が知られている。この鎌錠は、障子側に回動操作される鎌形状のフック片を設け、障子枠側に前記鎌形フック片が係合可能なストライカーを設け、障子を閉めた状態で前記鎌形フック片を回転操作し、ストライカーに係合させることにより施錠を図るようにするものである（下記特許文献３〜５参照）。
【特許文献１】特開２００３−１５５８６７号公報
【特許文献２】特開２００３−３１４０９５号公報
【特許文献３】特開平９−２１２５７号公報
【特許文献４】特開２００２−４６７２号公報
【特許文献５】特開２００２−２１３９０号公報
【発明の開示】
【発明が解決しようとする課題】
【０００５】
ところで、１つの障子窓に対して、前記開閉補助機構付ハンドルと共に、鎌錠を設けたい場合は、障子の戸先框に対し、上下方向に並べて開閉補助機構付ハンドルと鎌錠とを併設することになるが、この場合の障子の開操作は、先ず鎌錠を解錠した後、前記開閉補助機構付ハンドルを掴んで開方向に引くことになる。また、障子の閉操作は、開閉補助機構付ハンドルを掴んで障子を閉めた後、鎌錠を施錠することになり、開操作及び閉操作が２ステップ手順となっていた。
【０００６】
そこで本発明の主たる課題は、障子の解錠から開操作までと、障子の閉操作から施錠までの操作を、手を持ち替えることなく、一連の動作で行えるようにした施錠装置付アシストハンドルを提供することにある。
【課題を解決するための手段】
【０００７】
前記課題を解決するために請求項１に係る本発明として、引き違い障子又は片引き障子の戸先側框に取り付けられ、障子の開操作を補助する開閉補助機構と共に、施錠機構を備えた施錠装置付アシストハンドルであって、
前記施錠機構は、障子の開操作を補助するアシストハンドルの回動動作とは逆の回動動作による力を作動源として施錠を成し、かつ障子の開操作を補助するアシストハンドルの回動動作によって解錠を成すようにしたことを特徴とする施錠装置付アシストハンドルが提供される。
【０００８】
上記請求項１記載の本発明においては、障子の開操作を補助するアシストハンドルの回動動作とは逆の回動動作による力を作動源として施錠を成し、かつ障子の開操作を補助するアシストハンドルの回動動作によって解錠を成すようにしたため、障子の解錠から開操作までと、障子の閉操作から施錠までの操作を、手を持ち替えることなく、一連の動作で行えるようになる。
【０００９】
請求項２に係る本発明として、引き違い障子又は片引き障子の戸先側框に取り付けられ、障子の開操作を補助する開閉補助機構と共に、施錠機構を備えた施錠装置付アシストハンドルであって、
前記施錠装置付アシストハンドルは、ケースと、該ケースの室内側面に設けられ所定の角度範囲で揺動可能とされるハンドルと、前記ケース内に回動自在に設けられ、ケースから突出及び没入自在とされるとともに、没入方向に付勢保持された施錠用の鎌形フック片と、前記ケース内において前記ハンドルの軸部に固設され、該ハンドル動作に連動して揺動自在に支持されるとともに、一方端側に障子の開操作を補助するための障子押圧部を有し、かつ他方端側に鎌形フック片を背面側から押圧することにより鎌形フック片をケースから突出させる押圧作動部を有する揺動作動片と、前記ケースの外部に先端を突出させた状態で障子の開閉方向に沿ってスライド可能に設けられるとともに、突出方向に付勢保持され、突出状態にある時は衝合によって前記揺動作動片及びハンドルの揺動動作を制限するとともに、障子が閉められ当接によって後退した際には、前記揺動作動片及びハンドルの揺動動作制限を解除する作動規制部材とからなることを特徴とする施錠装置付アシストハンドルが提供される。
【００１０】
上記請求項２記載の本発明においては、ケース内にハンドルの回動動作に連動して一体的に回動動作する揺動作動片を設ける。この揺動作動片は、一方端側に障子の開操作を補助するための障子押圧部を有し、かつ他方端側に鎌形フック片を背面側から押圧することにより鎌形フック片をケースから突出させる押圧作動部を有する構造となっており、手を持ち替えることなく、ハンドルの回動操作によって施錠操作及び開閉補助操作が行えるようになっている。しかし、この構造のままでは、障子の開状態から障子を閉めると、鎌形フック片がケース外部に突出することになるため、前記作動規制部材を配設し、その突出状態、すなわち障子が開状態にある時は、衝合によって前記揺動作動片及びハンドルの揺動動作を制限するようにし、障子が閉められ当接によって後退した際には、前記揺動作動片及びハンドルの揺動動作制限を解除し施錠が行えるようにした。
【００１１】
以上より、本アシストハンドルによれば、障子の解錠から開操作までと、障子の閉操作から施錠までの操作を、手を持ち替えることなく、一連の動作で行えるようになる。
【００１２】
請求項３に係る本発明として、前記揺動作動片の押圧作動部は、前記揺動作動片とは別体とされ、揺動作動片に形成された孔部に対して挿通状態で配設され、前記揺動作動片と共に移動するスライド軸部材からなる請求項２記載の施錠装置付アシストハンドルが提供される。
【００１３】
請求項４に係る本発明として、前記揺動作動片の押圧作動部は、前記揺動作動片に対し室内外方向に突出して設けられた突部からなる請求項２記載の施錠装置付アシストハンドルが提供される。
【発明の効果】
【００１４】
以上詳説のとおり本発明によれば、障子の解錠から開操作までと、障子の閉操作から施錠までの操作を、手を持ち替えることなく、一連の動作で行えるようになる。
【発明を実施するための最良の形態】
【００１５】
以下、本発明の実施の形態について図面を参照しながら詳述する。
【００１６】
図１は本発明に係る施錠装置付アシストハンドル１を取り付けた窓の室内側からの姿図であり、図２は前記施錠装置付アシストハンドル１の側面図及び正面図、図３はその分解図（その１）、図４は分解図（その２）である。
【００１７】
図１において、上枠３Ａ、下枠３Ｄ及び左右の縦枠３Ｂ、３Ｃからなる枠体３と、この枠体３内に開閉自在に設けられる引き違い障子４Ａ、４Ｂを備える引戸式窓に対して、後付けによって、前記引き違い障子４Ａ、４Ｂの戸先側框４ａに対し施錠装置付アシストハンドル１（以下、単にアシストハンドルという。）を取り付け、枠体３の左右縦枠３Ｂ、３Ｃに施錠受け金具２、２を取り付けたものである。
【００１８】
前記アシストハンドル１は、図２に示されるように、主に、ケース１０と、該ケース１０の室内側面に設けられ所定の角度範囲で揺動可能とされるハンドル１１と、前記ケース１０内に回動自在に設けられ、ケース１０から突出及び没入自在とされるとともに、没入方向に付勢保持された鎌形フック片１３と、前記ケース１０内において前記ハンドル１１の軸部に固設され、該ハンドル１１の動作に連動して揺動自在に支持されるとともに、一方端側に障子の開操作を補助するための障子押圧部を有し、かつ他方端側に鎌形フック片１３を背面側から押圧することにより鎌形フック片１３をケース１０から突出させる押圧作動部を有する揺動作動片１２と、前記ケース１０の外部に先端を突出させた状態で障子の開閉方向に沿ってスライド可能に設けられるとともに、突出方向に付勢保持され、突出状態にある時は衝合によって前記揺動作動片１２及びハンドル１１の揺動動作を制限するとともに、障子が閉められ当接によって後退した際には、前記揺動作動片１２及びハンドル１１の揺動動作制限を解除する作動規制部材１６とから構成されている。
【００１９】
以下、更に具体的に詳述すると、
図２及び図３に示されるように、前記ケース１０内には、前記各種部材を支持する、又は収容する等のために、内ケース２１と、この内ケース２１の開口面を封鎖する蓋板２２からなるインナーユニット１０Ｂが設けられ、このインナーユニット１０Ｂを前記ケース１０内に収容した状態で、ハンドル１１が取り付けられるようになっている。
【００２０】
前記ケース１０には、上下部の鍔部に夫々、取付けのためのビス孔１０ａ、１０ｂと、ハンドル１１の支軸１１ａを貫通させる挿通孔１０ｃとが形成され、一方側側面（左右縦枠３Ｂ、３Ｃに対する当接面側）には、前記鎌形フック片１３を出没させるために縦スリット溝状に形成された第１出没孔１０ｄと、前記作動規制部材１６の先端を突出させるために矩形状に形成された第２出没孔１０ｅと、前記揺動作動片１２の障子押圧部を出没させるために矩形状に形成された第３出没孔１０ｆとが形成されている。
【００２１】
前記インナーユニット１０Ｂは、図４に示されるように、前記内ケース２１の正面板部と、裏面に設けられる蓋板２２とが所定の離間を空けて対峙することにより、これら板面間に支軸や軸部材等が横架して設けられるようになっている。
【００２２】
前記内ケース２１は、図４に示されるように、上下部の鍔部に夫々、取付けのためのビス孔２１ａ、２１ｂと、正面板面部に前記鎌形フック片１３を支持する支軸設置孔２１ｃと、前記揺動作動片１２の押圧作動部の構成要素となる後述のスライド軸部材１５が設置されるスライド溝２１ｄと、ハンドル１１の支軸１１ａを貫通させる挿通孔２１ｅとが形成されている。前記スライド溝２１ｄは、中間部に傾斜溝を有し、この傾斜溝の両端部から水平方向に延長される横溝が形成された、中間傾斜溝を有する段状水平溝である。
【００２３】
また、一方側側面（左右縦枠３Ｂ、３Ｃに対する当接面側）には、前記鎌形フック片１３を出没させるために縦スリット溝状に形成された第１出没孔２１ｆと、前記作動規制部材１６の先端を突出させるために矩形状に形成された第２出没孔２１ｇと、前記揺動作動片１２の障子押圧部を出没させるために矩形状に形成された第３出没孔２１ｈとが形成されている。なお、その他の孔部は、切起しによってスライド部材のガイド片とするための孔部、或いは回動動作の範囲を規制するためのストッパーを形成するための孔部である。
【００２４】
一方、前記蓋板２２は、前記内ケース２１に対応して、上下部の鍔部に夫々、取付けのためのビス孔２２ａ、２２ｂと、正面板面部に前記鎌形フック片１３を支持する支軸設置孔２２ｃと、前記揺動作動片１２の押圧作動部を構成する後述のスライド軸部材１５が設置されるスライド溝２２ｄとが形成されている。
【００２５】
前記内ケース２１の内部に設けられる鎌形フック片１３は、左右縦枠３Ｂ、３Ｃに設けられた施錠受け金具２に対し係止させることにより施錠を図る部材であり、前記内ケース２１の支軸設置孔２１ｃと、蓋板２２の支軸設置孔２２ｃとに横架された支軸２４によって回動自在に支持されている。この支軸２４には、巻きバネ１４が外嵌され、その一端が内ケース２１に係止し、他端が前記鎌形フック片１３に係止することにより、前記鎌形フック片１３が没入方向に付勢保持されている。
【００２６】
また、前記内ケース２１内に配設された前記揺動作動片１２は、上下方向に長い板状部材であり、中央に矩形状のハンドル軸挿通孔１２ａが形成され、前記ハンドル１１の軸部１１ａが挿入されることにより、ハンドル動作に連動して揺動自在に支持されている。前記揺動作動片１２の下端部には、孔部１２ｂが形成され、蹴出し部材２０が軸部材２３によって固定されることにより、前記障子押圧部が構成されている。また、上部には縦方向に長い長孔１２ｃが形成されており、内ケース２１のスライド溝２１ｄと、前記蓋板２２のスライド溝２２ｄ間に横架されたスライド軸部材１５が、前記長孔１２ｃを貫通するとともに、前記鎌形フック片１３の背面側に位置することにより、ハンドル１１が回動された際に、鎌形フック片１３を背面側から押圧することにより鎌形フック片１３をケース１０から突出させる押圧作動部が構成されている。
【００２７】
前記揺動作動片１２の中間側縁部には、前記ハンドル軸挿通孔１２ａよりも下側に起立片１２ｄが設けられ、内ケース２１内に配設されたバネ１８及び当接ピース１９からなる付勢手段の先端が前記起立片１２ｄに当接することにより、常時、前記鎌形フック片１３を突出させる回動方向に付勢保持されている。なお、この付勢力はハンドル１１に遊びが出ないようにするとともに、ハンドル１１を正規の起立状態に保持するための付勢力である。
【００２８】
さらに、前記揺動作動片１２の中間部には、後述する作動規制部材１６との衝合によって揺動作動片１２及びハンドル１１の回動動作を制限する衝合片１２ｅが設けられている。
【００２９】
前記作動規制部材１６は、前記ケース１０の外部に先端を突出させた状態で障子の開閉方向に沿ってスライド可能に設けられるとともに、バネ１７によって突出方向に付勢保持された部材であり、基端側下面が前記揺動作動片１２の衝合片１２ｅと衝合することにより揺動作動片１２の回動動作を制限する衝合部１６ａとされる。すなわち、前記作動規制部材１６が、突出状態にある時は前記揺動作動片１２の衝合片１２ｅが前記作動規制部材１６の衝合部１６ａに当接することにより、揺動作動片１２及びハンドル１１が施錠方向に回動しないように制限するとともに、障子４Ａ、４Ｂが閉められ、施錠受け金具２に対する当接によって後退した際には、前記揺動作動片１２の揺動動作の制限を解除し、ハンドル１１の回動によって施錠が可能な状態となる。
【００３０】
次に、前記施錠装置付アシストハンドル１による作動状態を各動作毎に説明する。
【００３１】
先ず、図５に示される状態は、障子４Ａ、４Ｂを開放した状態を示す(A)正面図及び(B)縦断面図である。ハンドル１１は鉛直方向に起立し、揺動作動片１２は鉛直方向に向いているため、蹴出し部材２０はケース１０内に収容され、かつ鎌形フック片１３もケース１０内に収容された状態となっている。また、作動規制部材１６は突出した状態となり、ハンドル１１の回動（施錠方向の回動）は制限された状態となっている。
【００３２】
この状態から図６に示されるように、障子４Ａ、４Ｂを閉めると、施錠受け金具２に作動規制部材１６の先端が当接し、付勢力に抗して前記作動規制部材１６が没入方向に移動される。この作動規制部材１６が没入方向に移動されると、揺動作動片１２の衝合片１２ｅと前記作動規制部材１６の衝合部１６ａとの当接状態が解除されるため、図７に示されるように、ハンドル１１を半時計回り方向（施錠方向）に回動させると、揺動作動片１２の回動によってスライド軸部材１５がスライド溝２１ｄ、２２ｄに沿って移動し、鎌形フック片１３を背面側から押圧し、該鎌形フック片１３をケース１０から突出させて、施錠受け金具２に前記鎌形フック片１３を係合させることにより施錠が成される。この施錠状態が図８に示される状態である。
【００３３】
この施錠状態から障子を開くために、ハンドル１１を掴み、障子４Ａ（４Ｂ）を開方向に引くと、図９に示されるように、ハンドル１１は所定角度範囲で時計回り方向に回動し、揺動作動片１２の回動によって蹴出し部材２０が窓枠側に突出し、窓枠を蹴り出すことによって障子４Ａ、４Ｂに初動を与えるため、障子４Ａ、４Ｂを小さな力で簡単に開操作することができる。その後に、ハンドル１１から手を離すと、該ハンドル１１及び揺動作動片１２は、バネ１８及び当接ピース１９からなる付勢手段によって、半時計回り方向に回動し、図５に示される正規の起立状態となる。
【００３４】
〔他の形態例〕
(1)上記形態例では、鎌形フック片１３を背面側から押圧することにより、該鎌形フック片１３をケース１０から突出させる押圧作動部の構造例として、スライド軸部材１５を揺動作動片１２の上部に別部材として配設したが、図１０に示されるように、揺動作動片１２の上部に室内外方向に突出して突部１２ｆを一体的に設け、この突部１２ｆにより前記鎌形フック片１３を背面側から押圧するようにしてもよい。なお、この場合には、内ケース２１及び蓋板２２に形成されるスライド溝２１ｄ，２２ｄの形状は、同図に示されるように、揺動軸（ハンドル軸１１ａ）を回動中心とする円弧状のスライド溝とする。
(2)上記形態例では、引戸式窓に対して、後付けによって施錠装置付アシストハンドル１を取り付けた例を示したが、本アシストハンドル１は、もちろん新設窓に対しても適用が可能である。この場合には、図１１及び図１２に示されるように、本アシストハンドル１の本体１Ａ及びハンドル１１を戸先側框４ａに組み付け、施錠受け金具２を左右縦枠３Ｂ、３Ｃ内に嵌設する。
(3)上記形態例においては、見栄えを良好とするため、ケース１０の内部に内ケース２１及び蓋板２２からなるインナーユニット１０Ｂを収容した二重ケース構造を採用したが、１つのケース内に各種部材を収容するようにしてもよい。
【図面の簡単な説明】
【００３５】
【図１】本発明に係る施錠装置付アシストハンドル１を後付けした窓の室内側からの姿図である。
【図２】施錠装置付アシストハンドル１を示す、(A)は側面図、(B)は正面図である。
【図３】インナーユニット１０Ｂ、ケース１０及びハンドル１１の分解斜視図である。
【図４】インナーユニット１０Ｂの分解斜視図である。
【図５】アシストハンドル１の作動状態図（障子開放状態時）（その１）である。
【図６】アシストハンドル１の作動状態図（障子閉鎖状態時）（その２）である。
【図７】アシストハンドル１の作動状態図（施錠途中）（その３）である。
【図８】アシストハンドル１の作動状態図（施錠状態時）（その４）である。
【図９】アシストハンドル１の作動状態図（障子開放操作時）（その５）である。
【図１０】アシストハンドル１の変形例を示す、その作動状態図(A)〜(C)である。
【図１１】本発明に係る施錠装置付アシストハンドル１を先付けした窓の室内側からの姿図である。
【図１２】先付け例におけるアシストハンドル１取付部分の分解図である。
【符号の説明】
【００３６】
１…施錠装置付アシストハンドル、２…施錠受け金具、３…枠体、４Ａ・４Ｂ…障子、１０…ケース、１０Ｂ…インナーユニット、１１…ハンドル、１１ａ…ハンドル軸部、１２…揺動作動片、１３…鎌形フック片、１４…巻きバネ、１５…スライド軸部材、１６…作動規制部材、１７・１８…バネ、１９…当接ピース、２０…蹴出し部材、２１…内ケース、２１ｄ…スライド溝、２２…蓋板、２２ｄ…スライド溝、２４…支軸
【図１】
2006029032.tif 000003
【図２】
2006029032.tif 000004
【図３】
2006029032.tif 000005
【図４】
2006029032.tif 000006
【図５】
2006029032.tif 000007
【図６】
2006029032.tif 000008
【図７】
2006029032.tif 000009
【図８】
2006029032.tif 000010
【図９】
2006029032.tif 000011
【図１０】
2006029032.tif 000012
【図１１】
2006029032.tif 000013
【図１２】
2006029032.tif 000014